(57)【要約】      （修正有）【課題】軽量で扱い易く、畝高や畝幅の変更も簡易構造で達成できる上、条植えや条播き及びビニールマルチングなどにも簡易に対応でき、さらには牽引操作性も良好な一般家庭向きの農具としての畝整形器を提供する。【解決手段】縦断面Ｌ字形で一対の軸受板３と基準板を備えた地均フレーム１と、該軸受板３、３に取付角度調整自在に軸支される上部柄と下部柄とから成り、上部柄に上部ハンドルと牽引ハンドルを備えた牽引柄４と、地均フレーム１に接合される軸体（六角軸８）を介して上下変更自在に、かつ、広狭変更自在に接合される斜面地均板２とを基本構造とする。また、牽引柄４の下部柄の下端部上面に添設される中央条溝成形具１５と地均フレーム１の横片１bの係合突起６に取着される側方条溝成形具１８とが付属品として提供される。【選択図】図３
2010200667.tif 000002
【特許請求の範囲】
【請求項１】
畝の上面を整形する地均フレームと該地均フレームに接合されて畝の両側面を整形する斜面地均板と、該地均フレームに接合される牽引柄とから成る畝整形器において、
前記地均フレームが、縦片と横片とからなる縦断面Ｌ字形で、該縦片には長手方向に沿って所要ピッチでボルト孔が貫設され、横片の先端部上面には長手方向両端から所要長さに渡って係合突起を立設し、長手方向中央部に横片の先端部に向けて一対の軸受板を突設し、両軸受板には軸支孔と支持孔と、該軸支孔を中心とする所要円弧上で上下２個の調整支持孔とを貫設し、縦片の外面には前記軸受板と反対方向に一対の基準板を突設して成り、
前記斜面地均板は、縦片と横片とからなる縦断面Ｌ字形で、該横片には長手方向に沿って所要ピッチで一対のボルト孔を多段に貫設し、縦片の下端部には横片に向けて排土板を接合して成る整形本体と、該整形本体の横片の下面に接合する所要角度の傾斜面と前記地均フレームの横片への載置平面とを有し、軸長が地均フレームの横片長と整形本体の横片長との合算長より所要長さ分長尺で、一方の軸端にネジ孔を螺設するとともに、該軸端から所要位置に前記載置平面から上に凹状の係合溝を凹設してなる軸体とから成り、
前記牽引柄が、上部柄と該上部柄にその一端が着脱自在に接合される下部柄とからなり、下部柄の他端には左右側面に渡って軸支孔と２個の支持孔が貫設され、上部柄には上端部と上端から所要寸法隔てた位置にそれぞれ上部ハンドルと牽引ハンドルとを設けて成る畝整形器。
【請求項２】
前記牽引柄の下部柄の下端部上面に添設される中央条溝成形具と、前記地均フレーム横片の係合突起に取着される側方条溝成形具とを設けて成る請求項１記載の畝整形器。
【請求項３】
前記軸体が六角軸から成り、二面幅部の一面が前記載置平面となり、該二面幅部の他面に隣接するいずれか一面を前記傾斜面として成る請求項１又は２記載の畝整形器。
【発明の詳細な説明】
【技術分野】
【０００１】
本発明は農作物を植え付けるため、耕起した土を盛り上げた畝の形状を整える畝整形器に関する。
【背景技術】
【０００２】
手作業で畝整形のできる技術は、特開平８−１４０４０２号公報（特許文献１）に提案されている。特許文献１における畝整形技術は、畝上面及び両側面の整形に係わる構造が複雑である上、重量もかさみ。牽引が重くて整形作業が重労働となり、農作業に不馴れな一般家庭での農具としては不向きである。
【先行技術文献】
【特許文献】
【０００３】
【特許文献１】特開平８−１４０４０２号公報
【発明の概要】
【発明が解決しようとする課題】
【０００４】
本発明は上記に鑑みて、軽量で扱い易く、畝高や畝幅の変更も簡易な構造で達成できる上、条植えや条播き及びビニールマルチングなどにも簡易に対応でき、さらには牽引操作性も良好な一般家庭向きの農具としての畝整形器を提供しようとするものである。
【課題を解決するための手段】
【０００５】
本発明の請求項１に記載した畝整形器は、畝の上面を整形する地均フレームと該地均フレームに接合されて畝の両側面を整形する斜面地均板と、該地均フレームに接合される牽引柄とから成る畝整形器において、
前記地均フレームが、縦片と横片とからなる縦断面Ｌ字形で、該縦片には長手方向に沿って所要ピッチでボルト孔が貫設され、横片の先端部上面には長手方向両端から所要長さに渡って係合突起を立設し、長手方向中央部に横片の先端部に向けて一対の軸受板を突設し、両軸受板には軸支孔と支持孔と、該軸支孔を中心とする所要円弧上で上下２個の調整支持孔とを貫設し、縦片の外面には前記軸受板と反対方向に一対の基準板を突設して成り、
前記斜面地均板は、縦片と横片とからなる縦断面Ｌ字形で、該横片には長手方向に沿って所要ピッチで一対のボルト孔を多段に貫設し、縦片の下端部には横片に向けて排土板を接合して成る整形本体と、該整形本体の横片の下面に接合する所要角度の傾斜面と前記地均フレームの横片への載置平面とを有し、軸長が地均フレームの横片長と整形本体の横片長との合算長より所要長さ分長尺で、一方の軸端にネジ孔を螺設するとともに、該軸端から所要位置に前記載置平面から上に凹状の係合溝を凹設してなる軸体とから成り、
前記牽引柄が、上部柄と該上部柄にその一端が着脱自在に接合される下部柄とからなり、下部柄の他端には左右側面に渡って軸支孔と２個の支持孔が貫設され、上部柄には上端部と上端から所要寸法隔てた位置にそれぞれ上部ハンドルと牽引ハンドルとを設けて成る。
請求項２に記載した畝整形器は、請求項１に記載した畝整形器において、
前記牽引柄の下部柄の下端部上面に添設される中央条溝成形具と、前記地均フレームの横片の係合突起に取着される側方条溝成形具とを設けて成る。
請求項３に記載した畝整形器は、請求項１又は２に記載した畝整形器において、
前記軸体が六角軸から成り、二面幅部の一面が前記載置平面となり、該二面幅部の他面に隣接するいずれか一面を前記傾斜面として成る。
【発明の効果】
【０００６】
本発明の畝整形器によれば、畝上面を整形する地均フレームと畝の両側面を整形する斜面地均板とが共にアルミ合金製の縦断面Ｌ字形の簡易構造であるため極めて軽量であり、牽引柄はその長さが地均フレームの全幅と同等以内の長さにニ分割されるから梱包もコンパクトになり、作業上では上部柄の先端部に設けた上部ハンドルが地均フレームの上下及び左右方向の姿勢調整を図るのに供され、牽引ハンドルは上部ハンドルの操作支点ともなり得るとともに、牽引に供されるため安定した姿勢で牽引できるから、整形牽引作業が軽微となる。また、畝の両側面を整形する斜面地均板は、簡易構造の軸体を介して地均フレームに接合されるから、畝幅の変更も簡易であり、しかも、該軸体に接合される斜面地均板の整形本体の接合位置も上下するだけであるから畝高の変更も簡易となるものであり、さらには、畝上面中央に相当する位置で畝全長に渡り、センター線となる紐を張り渡すことにより、該センター線を地均フレームの基準板間に目視して牽引できるため、畝並びも整然となる上、ビニールマルチングにおいては、ビニールシートの両裾が前記整形本体のＬ字形隅角部で形成したＶ溝に収められ、排土板で外方へ除けた土を被覆できるから、その作業も軽微で出来映えもよく、きれいな圃場の景観を呈するものであり、その上、付属の中央条溝成形具及び側方条溝成形具の使用によって真っ直ぐな条溝も成形できるから、条植えや条播きも簡単できれいなものとなるなど、一般家庭向き（家庭菜園向き）農具として画期的なものである。
【図面の簡単な説明】
【０００７】
【図１】本発明の畝整形器Ａの一側面図。
【図２】図１の畝整形器ＡのＡ−Ａ矢視要部説明図で、（ａ）はその平面図、（ｂ）は（ａ）の右側面図。
【図３】畝整形器Ａの要部斜視図。
【図４】斜面地均板２の説明図で、（ａ）はその正面図、（ｂ）は（ａ）の右側面図。
【図５】斜面地均板２の地均フレーム１への取付け説明図。
【図６】地均フレーム１の中央部の部分説明図で、（ａ）はその平面図、（ｂ）は（ａ）の右側面図、（ｃ）は（ａ）のＢ−Ｂ矢視断面図。
【図７】地均フレーム１の軸受板３における牽引柄４の取付け状態の説明図。
【図８】牽引柄４の上部柄４dの正面図。
【図９】中央条溝成形具１５の説明図で、（ａ）はその平面図、（ｂ）は（ａ）の正面図、（ｃ）は（ｂ）のＣ−Ｃ矢視断面図、（ｄ）は中央条溝成形具１５の他の実施態様における説明図。
【図１０】側方条溝成形具１８の説明図で、（ａ）はその地均フレーム１への取付け状態の平面図、（ｂ）は（ａ）の正面図。
【図１１】本発明の畝整形器Ａの使用状態の説明図。
【発明を実施するための形態】
【０００８】
地均フレーム１に斜面地均板２を接合するための軸体は、斜面地均板２の傾斜角度を頻繁に変えるものであるときは、丸軸が都合よいが、傾斜角度が一定であるとする場合は、その傾斜角度に沿う取付け面を有する台形状のものや、傾斜角度が畝上面に対して120°と一定の場合には六角軸８を使用できるから、コスト面では大幅な削減が図られる。また、牽引柄４における上部柄４dと下部柄４aの接合は、ネジ螺合による着脱自在構造のものから、中子１４による抜き挿し自在構造のものが選択されるが、ネジ螺合による場合には上部ハンドル１２や牽引ハンドル１３の水平姿勢保持に各種公知の位置決め技術を要する。さらに、牽引柄４の地均フレーム１に対する取付け姿勢は、軸受板３における軸支孔３dと該軸支孔３dを中心とする所要円弧上の調整支持孔３fとによってその上下姿勢を調整するほか、中子１４をヘの字状に折曲成形し、その折曲角度を各種準備（反転も含めて）したもので対応することも挙げられる。このほか、上部柄４dと下部柄４aの長さに関しては、中子使用の場合は中子１４を含めて全長が共に地均フレーム１の全幅と同等以内とすることが梱包上要求されることである。なお、上部柄４dにおける牽引ハンドル１３は左利き、右利きにより突出する向きが異なるため、中子１４を使用した接合の場合は、その接合を解いて反転してもよいが、柄本体に左右に所要螺合分はみ出したネジ軸を固定し、該ネジ軸の一方に牽引ハンドル１３を螺着し、他方に袋ナットを螺合して体裁を整えて左右取付け変更自在とすることもできる。
【実施例】
【０００９】
本発明の畝整形器Ａを実施例により説明すると、図１に示すように、縦断面60mm×40mmのＬ字形で肉厚5mm、幅820mmの地均フレーム１と、該地均フレーム１の左右所要位置にハの字状に接合される縦断面40mm×20mmのＬ字形で肉厚3mm、長さ310mmの斜面地均板２と、地均フレーム１の中央に対設される軸受板３、３に所要姿勢で軸支される縦断面30mm×20mmの角筒状の牽引柄４とから成り、これらは全てアルミニウム合金製の軽量型材から成る。そこで、地均フレーム１と斜面地均板２との関係を詳述すると、図２、図３及び図６に示すように、地均フレーム１の縦片１aの長手方向中央部にはその内面に軸受板３、３の縦部材３aがボルト締めされ、各縦部材３aと直角に一体な横部材３b、３b間には所要の間隙３cが配設されるとともに、該横部材３bには先端側に位置する軸支孔３dと、該軸支孔３dから所要寸法隔てて位置する支持孔３eと、該軸支孔３dを中心とする所要半径（前記所要寸法より短尺）の円弧上の上下に位置する２個の調整支持孔３fとがそれぞれ貫設され、また、縦片１aの外面には軸受板３の横部材３bと反対側に整列して突出する一対の基準板５、５をその縦部材５aにおいてボルト締めし、地均フレーム１の横片１bの先端部上面には四角筒状（15mm×15mm）の係合突起６がその両端から所要長さ（軸受板３の横部材３bに干渉しない長さ)に渡ってビス止めされて立設され、さらに、縦片１aには軸受板３の各縦部材３aの端部近傍から両端に向けて同位相のボルト孔１cが所要数貫設されて成る。一方、斜面地均板２は図４に示すように、縦片７aと横片７bとからなる前記した縦断面Ｌ字形の整形本体７と該整形本体７を所要傾斜姿勢(ハの字状)に保持する軸体としての六角軸８とから成り、整形本体７の縦片７aの下端部には横片７bに向けて外方へ傾斜する排土板９が設けられ、横片７bには長手方向に沿って所要ピッチで一対のボルト孔７cを多段に貫設してなり、六角軸８はその軸長（全長）が地均フレーム１の横片長（横片１bの幅寸法）と整形本体７の横片長（横片７bの幅寸法）との合算長より所要長さ分長尺で、一方の軸端にネジ孔８aを螺設するとともに、六角周面の二面幅の一面を載置面８bとして一方の軸端を地均フレーム１の縦片１aの内面に当接した状態で、横片１bの上面に当接すべく該載置面８bに前記係合突起６に嵌着する係合溝８cを上向きに凹設し、載置面８bに対向する面に隣接するいずれかの傾斜面８d（図３に示す右方の六角軸８では右方の傾斜面８d)には他方の軸端から所要分一方寄りの位置で該傾斜面８dと平行に整形本体７の横片７bの肉厚と同等の深さで、横片７bの全幅と同等の幅寸法からなる嵌着溝８eが凹設され、該嵌着溝８eの底面から整形本体７の横片７bに貫設される一対のボルト孔７cと同位相のネジ孔８fを所要深さに螺設して成る。かくして、六角軸８は図５に示すように、一方の軸端が地均フレーム１の縦片１aの内面に当接され、載置面８bがその係合溝８cを地均フレーム１の横片１bに立設した係合突起６に着嵌して横片１bの上面に載置され、所要の畝幅を満足する位置の縦片１aのボルト１cに軸端のネジ孔８aを合致させ、縦片１aの外面から螺着する蝶ボルト１０で緊締することにより、それぞれ両側の六角軸８は地均フレーム１に固定される。そして、それぞれの六角軸８の傾斜面８dに凹設さ��た嵌着溝８eにはそれぞれ整形本体７がその横片７bにおいて嵌着され、六角形状の長尺頭部を有する一対のボルト状の止め金１１で確実に六角軸８に固定される。
また、図７に示すように、牽引柄４の下部柄４aの下端部は軸支孔４bを各軸受板３の横部材３bに貫設した軸支孔３dと合致させてボルトと蝶ナットで接合するとともに、上方の支持孔４cを該横部材３bに貫設した支持孔３eと合致させてボルトと蝶ナットで接合し、牽引柄４を地均フレーム１に対して取付け角度を所要姿勢にして固定する。なお、牽引柄４を牽引する作業者Ｍの背丈に応じて上部柄４dを高くしたいときは、下部柄４aの軸支孔４bに近い支持孔４cと軸受板３の横部材３bにおける上方の調整支持孔３fとを合致させて仮想線で示す姿勢でボルトと蝶ナットで接合するものであり、低くしたいときは下部柄４aの前記支持孔４cと軸受板３の横部材３bにおける下方の調整支持孔３fとを合致させて仮想線で示す姿勢でボルトと蝶ナットで接合する。
次に、上記牽引柄４において、軸受板３、３に軸支された下部柄４aに着脱自在に接合される上部柄４dについて詳述すると、このものは図８に示すように、全長が下部柄４aと同長にして、前記地均フレーム１の全幅と同等以内の寸法であり、その柄本体の先端部にはＴ字状に上部ハンドル１２が圧入接合され、さらに、上部ハンドル１２から所要寸法隔てた位置で一側に牽引ハンドル１３を設け、柄本体の下端には接合部を突出した中子１４を接合して成り、該中子１４に対して前記の下部柄４aの上端部が着脱自在にビスと蝶ナットとで接合されるものであり、牽引ハンドル１３を仮想線で示すように右方へ向けるときは、上部柄４dを反転して下部柄４aに中子１４を接合すればよい。なお、中子１４を介しての接合に代えてネジ軸とネジ軸に螺合する雌ネジ管との接合もあり得る。
【００１０】
次に、条植えや条播きに便利な条溝の成形に使用する条溝成形手段について説明すると、牽引柄４の下部柄４aの上面に接合される中央条溝成形具１５は、図９（ａ）に示すように、軸受板３の横部材３b、３b間の間隙３cに挿入される幅で上方に２個所長孔（取付け孔）１６aが貫設された長尺平板状の支持体１６と、図９(ｂ)及び(ｃ)に示すように、その下方の下面に下に山形状の掘り込み片１７が接合されて成り、このほか分図（ｄ）に示すように、支持体１６の下方を所要角度（牽引使用時に垂直方向に向く角度）に折曲してその折曲部の下面に前記掘り込み片１７を接合した中央条溝成形具１５も提供される。また、地均フレーム１の左右に設けられる側方条溝成形具１８は図１０に示すように、逆Ｕ状に折曲形成された支持体１９の長尺片１９aの下端部内面に前記の掘り込み片１７を接合し、短尺片１９bには頭部にローレットを形成したネジ軸２０を螺合し、該ネジ軸２０の先端に回動自在に押圧子２１を係着して成る。したがって、この側方条溝成形具１８は条溝成形位置において、地均フレーム１の横片１bに立設した係合突起６に被せられるとともに、掘り込み片１７の上端を該横片１bの下面に当接した状態でネジ軸２０をネジ込み、長尺片１９aの内面と押圧子２１とで係合突起６を挟持して接合される。このとき、掘り込み片１７の幅Ｗと深さＨが畝の上面に成形される条溝の寸法となる。
【００１１】
このようにして成る畝整形器Ａは図１１に示すように、作業者Ｍの一方の手で牽引柄４の上部ハンドル１２が握られ、牽引方向や地均フレーム１の横片１bによる畝上面の整形状態を見ながら上下左右に操作され、他方の手で牽引ハンドル１３が握られて牽引される。このとき、本畝整形器Ａは全アルミ合金製で重さは僅か3kg程度であるから整形作業も軽微であり、予め畝上面中央にセンター線としての紐Ｓを全長に渡って張り渡すと、地均フレーム１の縦片１aの外面に突出する一対の基準板５、５間に紐Ｓを目視しつつ牽引できるから、畝並びが整然として左右の上部角度が120°の台形状の規格畝を整形できるのである。さらに、所要畝高となるように六角軸８に接合された整形本体７は、地均フレーム１の横片１bの先端に干渉することなく、ハの字状に垂下されたＬ字形の下端部でＶ溝２２を形成しつつ、排土板９でその外方に土を除けながら畝の左右側部を整形するから、ビニールマルチングにおいては、ビニールシートの両端をＶ溝２２内に収めて簡単に覆土できるから、ビニールシートの被覆作業もし易くなるのである。
そして、畝高を変えるときは、図４に示す斜面地均板２で説明すると、２個のボルト状の止め金１１を緩めて整形本体７を六角軸８から外し、上部のボルト孔７cの位置で六角軸８に整形本体７を止め金１１で接合すれば畝高は高くなり、下端のボルト孔７cで止め金１１により六角軸８に接合すれば、最低の畝高整形となる。また、畝幅を広くするときは、図５に示す蝶ボルト１０を緩めて地均フレーム１の縦片１aから六角軸８を外し、図３で示す外方のボルト孔１cにおいて六角軸８を固定すれば、簡単に斜面地均板２は幅広状態で地均フレーム１に接合されるものであり、畝幅を狭くしたいときは、逆に内方のボルト孔１cにおいて六角軸８を固定すれば簡単に畝幅を狭くできるのである。
さらに、条溝を成形する場合には、センター線とした紐Ｓを畝上面から取り外し、前記した中央条溝成形具１５を下部柄４aの下端部上面に長孔１６aを介して接合し、側方条溝成形具１８を前記した要領で地均フレーム１の横片１bに接合すれば、畝整形と共に所要の条溝も成形できるものである。このほか、本畝整形器Ａは、地均フレーム１から斜面地均板２を外せば柄振り（俗称トンボ）として平地の地均しやツララ（氷柱）落としなどにも使用できるものである。
このように本発明の畝整形器Ａは軽量で扱い易く、畝づくりに不馴れな人でも簡単に対応でき、しかも、畝幅も畝高も複数段階に簡単に変更でき、付属部品としての前記の条溝成形手段によって条植えや条播き用の条溝成形も簡単であり、さらには、ビニールマルチングにおけるビニールシートの裾も押え易くなり、畝並びが整然となって圃場がきれいになるなど、画期的な農具である。
【産業上の利用可能性】
【００１２】
本発明の畝整形器は、農作業の不馴れな人でも軽量で扱い易いものであり、畝づくりの助っ人となるものであるから、家庭菜園の要望に十分に対応できる技術であり、この分野での需要が期待できることは勿論のこと、農具製造分野の活性化にも貢献できるものである。
【符号の説明】
【００１３】
１：地均フレーム
１a：縦片
１b：横片
１c：ボルト孔
２：斜面地均板
３：軸受板
３a：縦部材
３b：横部材
３c：間隙
３d：軸支孔
３e：支持孔
３f：調整支持孔
４：牽引柄
４a：下部板
４b：軸支孔
４c：支持孔
４d：上部柄
５：基準板
５a：縦部材
６：係合突起
７：整形本体
７a：縦片
７b：横片
７c：ボルト孔
８：六角軸
８a：ネジ孔
８b：載置面
８c：係合溝
８d：傾斜面
８e：嵌着溝
８f：ネジ孔
９：排土板
１０：蝶ボルト
１１：止め金
１２：上部ハンドル
１３：牽引ハンドル
１４：中子
１５：中央条溝成形具
１６：支持体
１６a：長孔
１７：掘り込み片
１８：側方条溝成形具
１９：支持体
１９a：長尺片
１９b：短尺片
２０：ネジ軸
２１：押圧子
２２：Ｖ溝
Ｍ：作業者
Ｓ：紐
Ａ：畝整形器
【図１】
2010200667.tif 000003
【図２】
2010200667.tif 000004
【図３】
2010200667.tif 000005
【図４】
2010200667.tif 000006
【図５】
2010200667.tif 000007
【図６】
2010200667.tif 000008
【図７】
2010200667.tif 000009
【図８】
2010200667.tif 000010
【図９】
2010200667.tif 000011
【図１０】
2010200667.tif 000012
【図１１】
2010200667.tif 000013